(57)【要約】【課題】簡単な構成で通常観察と拡大観察とを切り換えて観察でき、大型化を抑止し得る構成の内視鏡とこれを適用した内視鏡装置を提供する。【解決手段】対物光学系２４を有する観察手段を先端部１８に備えた挿入部１０と、挿入部を挿通するように設けられ先端部において対物光学系に隣接する部位に開口２３を有する処置具挿通チャンネル２２とを有し、観察手段を用いて観察部位を観察する内視鏡２と、対物光学系の前方であって観察部位と内視鏡の前面との間の空間に配置される像伝達手段１７とを具備し、像伝達手段と対物光学系とを合成した光学系により、対物光学系単独で得られる観察像よりも拡大された観察像を得る。【選択図】図５
2008023044.tif 000002
【特許請求の範囲】
【請求項１】
対物光学系を有する観察手段を先端部に備えた挿入部と、前記挿入部を挿通するように設けられ前記先端部において前記対物光学系に隣接する部位に開口を有する処置具挿通チャンネルと、を有し、前記観察手段を用いて観察部位を観察する内視鏡と
前記対物光学系の前方であって、前記観察部位と前記内視鏡の前面との間の空間に配置される像伝達手段と、
を具備し、
前記像伝達手段と前記対物光学系とを合成した光学系により、前記対物光学系単独で得られる観察像よりも拡大された観察像を得ることができることを特徴とする内視鏡装置。
【請求項２】
前記像伝達手段は、光学部材であることを特徴とする請求項１に記載の内視鏡装置。
【請求項３】
前記光学部材は、透明部材であることを特徴とする請求項２に記載の内視鏡装置。
【請求項４】
前記光学部材は、前記内視鏡の前記処置具挿通チャンネルを介して前記内視鏡の先端部と前記観察部位との間に配置されることを特徴とする請求項２に記載の内視鏡装置。
【請求項５】
前記光学部材が、以下の条件式を満足することを特徴とする請求項３に記載の内視鏡装置。
１．４  ＜  ｎ１  ＜  ２．３
ｎ１：前記光学部材の屈折率
【請求項６】
前記光学部材が、以下の条件式を満足することを特徴とする請求項３に記載の内視鏡装置。
０．３  ＜  ｆ１／ｆ２  ＜３．５
ｆ１：前記像伝達手段の焦点距離
ｆ２：前記対物光学系の焦点距離
【請求項７】
前記光学部材が平凸レンズであることを特徴とする請求項３に記載の内視鏡装置。
【請求項８】
前記光学部材が、以下の条件式を満足することを特徴とする請求項３に記載の内視鏡装置。
０．９  ＜  ｜ｒ２／ｄ｜  ＜  １．１
ｒ２：前記光学部材の前記内視鏡側の曲率半径
ｄ  ：前記光学部材の中肉厚
【請求項９】
前記光学部材が、以下の条件式を満足することを特徴とする請求項３に記載の内視鏡装置。
｜ｒ１／ｒ２｜  ＝  １
ｒ１：前記光学部材の観察対象物側の曲率半径
ｒ２：前記光学部材の内視鏡側の曲率半径
【請求項１０】
前記光学部材が球レンズであることを特徴とする請求項３に記載の内視鏡装置。
【発明の詳細な説明】
【技術分野】
【０００１】
この発明は、内視鏡装置、詳しくは体腔内の観察部位を観察する内視鏡を用いて観察するのに際して、通常観察と、これよりも高倍率の拡大像を観察する拡大観察とを切り換えて行ない得る内視鏡を備えた内視鏡装置に関するものである。
【背景技術】
【０００２】
近年、生体の細胞構造や細胞核，腺構造等、粘膜上皮の組織学的観察を生きた状態で行なうことが、例えば癌等の患部の早期発見や診断治療等において重要であるものとして注目されている。
【０００３】
そのために、通常観察と、この通常観察時よりも高倍率の拡大像を観察する拡大観察とを行ない得るように構成される内視鏡及びこの内視鏡を含むシステムとしての内視鏡装置について、例えば特開２００４−３５０９４０号公報等によって種々の提案がなされている。
【０００４】
上記特開２００４−３５０９４０号公報によって開示されている内視鏡装置は、通常観察用の観察手段と、これより高倍率による拡大観察を行ない得る拡大観察用の観察手段との二つの観察手段を備えて構成したものである。
【０００５】
このような構成による上記公報に開示の内視鏡装置では、まず、通常観察用の観察手段（光学系）を用いた広い観察領域によって体腔内の観察を行なって患部等の所望の観察対象部位（被検部位）を探し出し、所望の観察対象部位を見付けたら、適宜、拡大観察用の観察手段（光学系）を用いて、その所望の観察対象部位の拡大観察を行なうといった手順による観察検査が行なわれる。
【０００６】
通常の場合、生体の細胞構造，腺構造等の組織学的観察を行なう際には、およそ２００〜１０００倍程度の倍率による拡大観察が行なわれる。このような高倍率によって拡大観察を行ない得る拡大観察用の光学系では、その被写界深度が極めて狭くなる傾向がある。
【特許文献１】特開２００４−３５０９４０号公報
【発明の開示】
【発明が解決しようとする課題】
【０００７】
ところが、上記特開２００４−３５０９４０号公報によって開示されている手段によれば、挿入部の先端部に設けた通常観察用の観察手段と拡大観察用の観察手段とは、それぞれ独立して構成されている。したがって、二つの観察手段のそれぞれによって同一の観察対象物を捕らえるための手順は技術的に難しく、操作に修練を要するという問題がある。  また、拡大観察用の観察手段自体は、複雑な光学系を有していることから、これを具備する内視鏡の先端部が大型化してしまう傾向がある。
【０００８】
本発明は、上述した点に鑑みてなされたものであって、その目的とするところは、より簡単な構成で、通常観察と拡大観察との切り換えを容易に行なうことができると同時に、大型化を抑止し得る構成の内視鏡と、この内視鏡を適用した内視鏡装置を提供することである。
【課題を解決するための手段】
【０００９】
上記目的を達成するために、本発明による内視鏡装置は、対物光学系を有する観察手段を先端部に備えた挿入部と、前記挿入部を挿通するように設けられ前記先端部において前記対物光学系に隣接する部位に開口を有する処置具挿通チャンネルと、を有し、前記観察手段を用いて観察部位を観察する内視鏡と、前記対物光学系の前方であって、前記観察部位と前記内視鏡の前面との間の空間に配置される像伝達手段と、を具備し、前記像伝達手段と前記対物光学系とを合成した光学系により、前記対物光学系単独で得られる観察像よりも拡大された観察像を得ることができることを特徴とする。
【発明の効果】
【００１０】
本発明によれば、より簡単な構成で、通常観察と拡大観察との切り換えを容易に行なうことができると同時に、大型化を抑止し得る構成の内視鏡と、この内視鏡を適用した内視鏡装置を提供することができる。
【発明を実施するための最良の形態】
【００１１】
以下、図示の実施の形態によって本発明を説明する。
【００１２】
図１は、本発明の一実施形態の内視鏡装置の概略的な構成を示す全体構成図である。図２は、本実施形態の内視鏡装置における内視鏡の先端部近傍を拡大して示す要部拡大斜視図である。図３は、本実施形態の内視鏡装置の内視鏡の処置具挿通チャンネルに挿通させて使用する処置具であって、本実施形態の拡大観察用レンズを保持する拡大レンズ保持具を示す拡大平面図である。図４は、図３の拡大レンズ保持具を駆動した状態を示す拡大平面図である。図５は、本実施形態の内視鏡装置における内視鏡の処置具挿通チャンネルに拡大レンズ保持具を挿通させて拡大レンズを観察光学系の光軸上に配置したときの状態を示しており、内視鏡先端部を断面で示す要部拡大断面図である。
【００１３】
図１に示すように、本発明の一実施形態の内視鏡装置１は、体腔内に挿入して体腔内の状態を観察し得るように構成され目視による観察及び検査等に使用される内視鏡２と、この内視鏡２の処置具挿通チャンネル２２（後述する。図２参照）に挿通される処置具である拡大レンズ保持具３と、この拡大レンズ保持具３によって保持され内視鏡２の対物光学系２４（後述する。図２，図５参照）の前方の所定の部位に配置される像伝達手段であり光学部材であり透明部材である拡大観察用レンズ１７と、内視鏡２のライトガイド１５に照明光を供給する光源装置４と、内視鏡２の撮像素子２５（後述する。図２参照）の駆動制御を行なうＣＣＤドライブ部３１や同内視鏡２の撮像素子２５により取得した映像信号等を受けて各種の信号処理を施す映像処理部３２等を有するビデオプロセッサ５と、このビデオプロセッサ５の映像処理部３２から出力される各映像信号を受けて映像として表示する表示装置６と、上記ビデオプロセッサ５から出力される映像信号を記録する記録装置７と、上記拡大レンズ保持具３の駆動制御機構を内部に有する保持具駆動機構部３６と、この保持具駆動機構部３６を介して拡大レンズ保持具３の駆動制御行なう保持具コントローラ３７等によって主に構成されている。
【００１４】
内視鏡２は、可撓性を有する細長の挿入部１０と、この挿入部１０の後端に連設される操作部１１と、この操作部１１の側部から延出されるユニバーサルコード１２とによって主に構成される。
【００１５】
ユニバーサルコード１２の端部には、コネクタ１３が設けられている。このコネクタ１３は、光源装置４の接続部４ａに対して着脱自在となっている。また、同コネクタ１３とビデオプロセッサ５とは、信号ケーブル２９を介して電気的に接続されている。そして、ビデオプロセッサ５は、表示装置６及び記録装置７のそれぞれに電気的に接続されている。
【００１６】
これにより、ビデオプロセッサ５から出力される映像信号の一部は、表示装置６へと出力されて、その表示画面上に内視鏡観察画像３３（図１参照）が表示されるようになっている。また、ビデオプロセッサ５から出力される映像信号の一部は、記録装置７へと出力されて、この記録装置７によって適宜記録することができるようになっている。
【００１７】
内視鏡２の挿入部１０は、硬質部材により形成され内部に通常観察用の観察手段（詳細は後述する。図２参照）を有する先端部１８と、この先端部１８の基端側に連設され湾曲自在に形成される湾曲部１９と、この湾曲部１９の基端側に連設され操作部１１の先端側まで延出される長尺の可撓部２０とによって主に構成されている。そして、挿入部１０の湾曲部１９は、操作部１１に設けられる湾曲ノブ（図示せず）等の操作部材を使用者が適宜操作することによって、例えば上下方向及び左右方向等、任意の方向へ湾曲させることができるようになっている。
【００１８】
内視鏡２の先端部１８の内部には、図２に示すように複数の光学レンズ等からなり観察対象物の光学像を結像させるための変倍光学系である対物光学系２４と、この対物光学系２４により形成される光学像を受けて光電変換処理を行なう撮像素子２５等からなる通常観察用の観察手段が配設されている。
【００１９】
撮像素子２５は、ビデオプロセッサ５のＣＣＤドライブ部３１からの制御信号を受けて駆動制御されるようになっている。また、同撮像素子２５によって取得された映像信号は、ビデオプロセッサ５の映像処理部３２へと送られて各種の信号処理が施されるようになっている。
【００２０】
そのために、内視鏡２の挿入部１０の内部には、先端部１８から操作部１１までの間に信号電送用の信号線２５ａ（図２参照）が挿通されている。この信号線２５ａは、さらに操作部１１の内部においてユニバーサルコード１２の基端側から同ユニバーサルコード１２の内部を挿通しコネクタ１３の側部に設けられる接続部１３ａ（図１参照）にまで延出している。そして、このコネクタ１３の接続部１３ａに接続される信号ケーブル２９を介して内視鏡２（の先端部１８の撮像素子２５）とビデオプロセッサ５との間の電気的な接続が確保されている。
【００２１】
さらに、上述したようにビデオプロセッサ５と表示装置６との間での電気的な接続が確保されていることから、内視鏡２の撮像素子２５によって取得された映像信号は、内視鏡２の挿入部１０，操作部１１，ユニバーサルコード１２の各内部を挿通する信号線２５ａ及び信号ケーブル２９を介してビデオプロセッサ５へと伝送され、映像処理部３２において各種の信号処理が施される。その後、映像処理部３２から出力される映像信号は、表示装置６へと伝送されて、その表示画面上に内視鏡観察画像３３が表示されるようになっている。
【００２２】
図１に戻って、光源装置４は、例えば白色光を発生するランプ１４と、このランプ１４による白色光を赤，緑，青の面順次光に変換する複数の色透過フィルターを取り付けた回転フイルター９と、この回転フイルター９を回転させるモーター８と、面順次光を集光する集光レンズ１４ａ等によって主に構成されている。また、光源装置４には、ユニバーサルコード１２のコネクタ１３が接続される接続部４ａが設けられている。そして、光源装置４の内部においては、接続部４ａに対向する位置に集光レンズ１４ａが配設されている。
【００２３】
したがって、ユニバーサルコード１２のコネクタ１３が光源装置４の接続部４ａに接続された状態となったとき、コネクタ１３のライトガイド１５の一端部は、集光レンズ１４ａに対向して配設されるようになっている。
【００２４】
ライトガイド１５は、ユニバーサルコード１２及び内視鏡２の挿入部１０の内部を挿通し、同内視鏡２の先端部１８にまで達している。そして、ライトガイド１５の他端部は、内視鏡２の先端部１８の先端面に設けられる照明レンズ（特に図示せず）に対向する位置に配置されている。
【００２５】
これにより、光源装置４のランプ１４から出射する照明光束は、回転フイルター９及び集光レンズ１４ａを介してライトガイド１５に入射し、このライトガイド１５を介して内視鏡２の先端部１８まで伝送されるようになっている。そして、ライトガイド１５によって内視鏡２の先端部１８まで伝送された照明光は、照明レンズを介して前方に向けて出射され、内視鏡２の先端部１８の前方に位置する観察対象となる患部等の観察対象部位（図１に示す符合Ａ参照）の近傍を照明するようになっている。
【００２６】
操作部１１の先端側の近傍には、処置具挿入口２１が形成されている。この処置具挿入口２１は、操作部１１の内部において処置具挿通チャンネル２２（図２参照）の一端に連通している。この処置具挿通チャンネル２２は、挿入部１０の長手方向に先端部１８まで挿通して形成される管状空間である。そして、処置具挿通チャンネル２２の先端側は、内視鏡２の先端部１８の前面に形成されるチャンネル開口２３（図２参照）に連通している。
【００２７】
したがって、処置具挿入口２１から、各種の処置具、例えば拡大レンズ保持具３や処置用プローブ等を挿入すると、その先端側は、処置具挿通チャンネル２２のチャンネル開口２３から外部に突出するようになっている。
【００２８】
処置具の一種であり
拡大レンズ保持具３は、上述したように拡大観察用レンズ１７を保持した状態で、処置具挿入口２１から処置具挿通チャンネル２２を挿通させることにより、拡大観察用レンズ１７を内視鏡２の前方の所定の部位に配置して拡大観察を行ない得るように構成する処置用プローブである。
【００２９】
ここで、拡大レンズ保持具３の詳細構成を以下に説明する。図３に示すように、この拡大レンズ保持具３は、全体が可撓性を有する細長形状に形成されている。この拡大レンズ保持具３は、その最先端部に設けられ拡大観察用レンズ１７を把持する鋏形状の把持部３ａと、この把持部３ａの基端部に連設され湾曲自在に形成される保持具湾曲部３ｂと、この保持具湾曲部３ｂの基端側に連設される長尺の保持具可撓部３ｃと、この保持具可撓部３ｃの基端部に設けられる保持具接続部３５とによって主に構成されている。
【００３０】
そして、この拡大レンズ保持具３は、その基端部の保持具接続部３５を介して保持具駆動機構部３６に機械的に接続されている。この保持具駆動機構部３６は、制御信号線３６ｇを内部に挿通する信号ケーブル３７ａを介して保持具コントローラ３７と電気的に接続されている。
【００３１】
拡大レンズ保持具３の内部空間には、把持部３ａに連動し、その把持動作を行なわしめる動作シャフト３ｄが挿通している。この動作シャフト３ｄは、拡大レンズ保持具３の内部を挿通し保持具接続部３５を経て保持具駆動機構部３６の内部へと延設されている。そして、動作シャフト３ｄの一端部は、所定のリンク機構を介して把持部３ａの基端側に連設している。一方、動作シャフト３ｄの他端部は、保持具駆動機構部３６内のラック３６ａに接続されている。
【００３２】
また、拡大レンズ保持具３の外周側には、保持具湾曲部３ｂと保持具可撓部３ｃとの外周に沿って湾曲ワイヤ３ｅが張架されている。即ち、この湾曲ワイヤ３ｅの一端部は、把持部３ａの基端側外周面上に突設される固定部３ｆに固設されている。一方、湾曲ワイヤ３ｅの他端部は、保持具駆動機構部３６内のラック３６ｄに接続されている。
【００３３】
なお、湾曲ワイヤ３ｅは、保持具可撓部３ｃの外周に沿って配設される湾曲ワイヤガイド３ｇの内部を挿通している。この湾曲ワイヤガイド３ｇは、保持具可撓部３ｃの外周側に所定の間隔をもって固設される固定バンド３ｈによって、保持具可撓部３ｃに対して固設されている。これにより、湾曲ワイヤガイド３ｇは、保持具可撓部３ｃと一体に形成されている。
【００３４】
保持具駆動機構部３６は、拡大レンズ保持具３の駆動制御機構を内部に有して構成される。ここで、拡大レンズ保持具３の駆動制御機構は、動作シャフト３ｄ側の駆動機構と、湾曲ワイヤ３ｅ側の駆動機構とによって構成される。
【００３５】
動作シャフト３ｄの駆動機構としては、動作シャフト３ｄの他端部が接続されて把持部３ａの把持動作を行なわしめるラック３６ａと、このラック３６ａに噛合するピニオン３６ｂと、このピニオン３６ｂを軸支してこれを正逆両方向に回動させる駆動モータ３６ｃとによって主に構成される。
【００３６】
湾曲ワイヤ３ｅの駆動機構としては、湾曲ワイヤ３ｅの他端部が接続されて保持具湾曲部３ｂを湾曲動作させるラック３６ｄと、このラック３６ｄに噛合するピニオン３６ｅと、このピニオン３６ｅを軸支してこれを正逆両方向に回動させる駆動モータ３６ｆとによって主に構成される。
【００３７】
そして、二つの駆動モータ３６ｃ，３６ｆは、制御信号線３６ｇ，信号ケーブル３７ａを介して保持具コントローラ３７と電気的に接続されている。
【００３８】
保持具コントローラ３７は、保持具駆動機構部３６を介して拡大レンズ保持具３の駆動制御行なう制御基板３７ｂを内部に有して構成される。そして、保持具コントローラ３７には、制御基板３７ｂに対して制御信号を発生させる操作部材、例えば把持部３ａの開閉動作制御に関する操作部材である把持部開閉スライドスイッチ３７ｃと、保持具湾曲部３ｂの湾曲動作制御に関する操作部材である湾曲用スライドスイッチ３７ｄとが配設されている。
【００３９】
したがって、使用者が、例えば湾曲用スライドスイッチ３７ｄや把持部開閉スライドスイッチ３７ｃのスライド操作を行なうと、保持具コントローラ３７の制御基板３７ｂは、その操作に応じた制御信号が発生し、この制御信号は、信号ケーブル３７ａ，制御信号線３６ｇを介して伝達されるようになっている。これを受けて保持具駆動機構部３６において、伝達された制御信号に応じた駆動動作、即ち動作シャフト３ｄの駆動機構（駆動モータ３６ｃ，ピニオン３６ｂ，ラック３６ａ）もしくは湾曲ワイヤ３ｅの駆動機構（駆動モータ３６ｆ，ピニオン３６ｅ，ラック３６ｄ）の駆動動作がなされるようになっている。
【００４０】
なお、拡大観察用レンズ１７は、例えば、図５に示すように光学レンズ１７ａと、この光学レンズ１７ａを保持するレンズ枠１７ｂ等によって形成されている。そして、拡大レンズ保持具３は、拡大観察用レンズ１７のレンズ枠１７ｂを把持した状態で処置具挿通チャンネル２２を挿通させることにより、当該拡大観察用レンズ１７を内視鏡２の先端部１８の前面側の所定の部位に配置し得るようになっている。
【００４１】
また、拡大観察用レンズ１７及び対物光学系２４は、例えば樹脂モールド品又はガラス部材等によって形成される。
【００４２】
このように構成される本実施形態の内視鏡装置１の作用の概略は、次の通りである。
【００４３】
まず、本実施形態の内視鏡装置１において、処置具挿通チャンネル２２に処置具（拡大レンズ保持具３）を挿通させない状態の内視鏡２の挿入部１０を被検者である患者の体腔内に挿入する。このとき表示装置６には、内視鏡２の撮像素子２５によって取得される通常観察用の内視鏡観察画像３３が表示される。この内視鏡観察画像３３による体腔内の通常観察を行ないつつ、内視鏡２の先端部１８を所望の観察対象部位の近傍まで導く。この一連の作用については、一般的な内視鏡観察操作と同様である。
【００４４】
内視鏡２の先端部１８が所望の部位近傍に到達すると、まず、内視鏡２の先端部１８の前面を観察対象部位に対向した状態とすることで、内視鏡２の通常観察用の観察手段による観察を行なうことができる。
【００４５】
内視鏡２が体腔内において、このような状態にあるときに、さらに、当該観察対象部位の拡大観察を行なうものとする。そのためには、まず、表示装置６の表示画面の略中央部に、観察対象となる患部等の中心部分の像が位置するように、内視鏡２の先端部１８の位置を設定する。これにより、所望の観察対象部位は、内視鏡２の対物光学系２４の光軸Ｏの延長線上に位置する状態になる。この状態が図２に示す状態である。
【００４６】
この状態を維持しながら、拡大観察用レンズ１７を把持した状態の拡大レンズ保持具３を処置具挿入口２１から挿入する。
【００４７】
そのために、まず、保持具コントローラ３７の把持部開閉スライドスイッチ３７ｃのスライド操作を行なって、拡大レンズ保持具３が拡大観察用レンズ１７を把持した状態とする。
【００４８】
この場合において、使用者は、例えば、保持具コントローラ３７の把持部開閉スライドスイッチ３７ｃにより把持部３ａが開状態となる方向へスライド操作を行なう。この操作によって生じる指示信号を受けて、保持具コントローラ３７の制御基板３７ｂは、当該操作に応じた制御信号が発生させる。その制御信号は、信号ケーブル３７ａ，制御信号線３６ｇを介して保持具駆動機構部３６に伝達される。これを受けて、保持具駆動機構部３６では、動作シャフト３ｄの駆動機構のうち駆動モータ３６ｃを所定の方向（把持部３ａを開状態とする方向。例えば図３の矢印Ｒ１方向）に回動させる。これに伴ってピニオン３６ｂは同方向に回動する。これにより、ラック３６ａは、動作シャフト３ｄの長手方向に沿う方向であって、図３に示す矢印Ｘ１に沿う方向に移動する。このラック３６ａの移動に伴って、動作シャフト３ｄは、基端側に向けて引かれる方向に移動する。これによって、把持部３ａは開状態となる。
【００４９】
この状態で、拡大観察用レンズ１７を把持部３ａの開位置に配置する。そして、保持具コントローラ３７の把持部開閉スライドスイッチ３７ｃのスライド操作を行なって、把持部３ａを閉状態とする。この際の動作は、上述の把持部３ａを開状態とする場合の逆の操作を行なう。即ち、把持部３ａを閉状態とする方向への把持部開閉スライドスイッチ３７ｃのスライド操作によって生じる指示信号を受けて、制御基板３７ｂは、当該操作に応じた制御信号を発生させる。その制御信号は、信号ケーブル３７ａ，制御信号線３６ｇを介して保持具駆動機構部３６に伝達される。これを受けて、保持具駆動機構部３６では、駆動モータ３６ｃを所定の方向（把持部３ａを閉状態とする方向。図３の矢印Ｒ２方向）に回動させる。これによりピニオン３６ｂも同方向に回動する。そして、ラック３６ａは、図３に示す矢印Ｘ２に沿う方向に移動する。これによって動作シャフト３ｄは、先端側に向けて進む方向に移動して、把持部３ａは閉状態となる。このようにして、拡大観察用レンズ１７は把持部３ａに把持された状態となる。なお、この状態は、駆動モータ３６ｃが回動しない限り維持されるようになっている。
【００５０】
この状態の拡大レンズ保持具３を処置具挿入口２１から挿入し、処置具挿通チャンネル２２を挿通させる。そして、拡大レンズ保持具３の先端部を内視鏡２の先端部１８のチャンネル開口２３から前面に向けて突出した状態とする。
【００５１】
この状態において、拡大レンズ保持具３の保持具湾曲部３ｂを湾曲させて、図４（図１）の状態にする。
【００５２】
そのためには、まず、使用者は、例えば、保持具コントローラ３７の湾曲用スライドスイッチ３７ｄにより保持具湾曲部３ｂが湾曲状態となる方向へスライド操作を行なう。この操作によって生じる指示信号を受けて、保持具コントローラ３７の制御基板３７ｂは、当該操作に応じた制御信号が発生させる。その制御信号は、信号ケーブル３７ａ，制御信号線３６ｇを介して保持具駆動機構部３６に伝達される。これを受けて、保持具駆動機構部３６では、湾曲ワイヤ３ｅの駆動機構のうち駆動モータ３６ｆを所定の方向（保持具湾曲部３ｂを湾曲状態とする方向。例えば図３の矢印Ｒ３方向）に回動させる。これに伴ってピニオン３６ｅは同方向に回動する。これにより、ラック３６ｄは、湾曲ワイヤ３ｅの長手方向に沿う方向であって、図３に示す矢印Ｘ３に沿う方向に移動する。このラック３６ｄの移動に伴って、湾曲ワイヤ３ｅは、基端側に向けて引かれる。これによって、保持具湾曲部３ｂは、図４に示す湾曲状態となる。
【００５３】
このとき、拡大レンズ保持具３の把持部３ａによって保持されている拡大観察用レンズ１７は、対物光学系２４の光軸Ｏに交差する部位であって、当該対物光学系２４の前面と所望の観察対象部位Ａとの間に配置されるように設定する。
【００５４】
即ち、対物光学系２４の光軸Ｏの延長線上に、観察対象部位が位置するように設定した状態で、拡大レンズ保持具３の保持具湾曲部３ｂの湾曲操作を行なうと、当該拡大レンズ保持具３によって保持される拡大観察用レンズ１７は、対物光学系２４の光軸Ｏの延長線上であって、当該対物光学系２４の前面と観察対象部位Ａとの間に配置されることになる。
【００５５】
これにより、拡大観察用レンズ１７と内視鏡２の対物光学系２４との合成光学系により、対物光学系２４単独で得られる光学像よりも拡大された光学像が、撮像素子２５の受光面上に結像される。撮像素子２５は、この光学像を光電変換処理することにより電気的な画像信号に変換して、信号線２５ａにより挿入部１０，操作部１１，ユニバーサルコード１２，コネクタ１３，信号ケーブル２９を介してビデオプロセッサ５へと伝送する。これを受けて、ビデオプロセッサ５は、映像処理部３２において各種の信号処理を施して表示装置６及び記録装置７へと伝送する。これを受けて、表示装置６は、その表示画面上に内視鏡観察画像３３を表示する。また、記録装置７は、所定の形態の画像データとして所定の記録媒体に適宜記録する。
【００５６】
このようにして、所望の観察対象部位の拡大観察を終えて、観察検査を終了するには、内視鏡２を被検者（患者）の体腔内から抜去する。この際、拡大レンズ保持具３の保持具湾曲部３ｂの湾曲状態を解除して、拡大レンズ保持具３の先端部を内視鏡２の先端部１８の先端側から突出しない位置まで引き戻しておく。
【００５７】
そのためには、まず、使用者は、保持具コントローラ３７の湾曲用スライドスイッチ３７ｄにより保持具湾曲部３ｂの湾曲状態を解除する方向へスライド操作を行なう。この操作によって生じる指示信号を受けて、保持具コントローラ３７の制御基板３７ｂは、当該操作に応じた制御信号が発生させる。その制御信号は、信号ケーブル３７ａ，制御信号線３６ｇを介して保持具駆動機構部３６に伝達される。これを受けて、保持具駆動機構部３６では、湾曲ワイヤ３ｅの駆動機構のうち駆動モータ３６ｆを所定の方向（保持具湾曲部３ｂの湾曲状態を解除する方向。例えば図３の矢印Ｒ４方向）に回動させる。これに伴ってピニオン３６ｅは同方向に回動する。これにより、ラック３６ｄは、湾曲ワイヤ３ｅの長手方向に沿う方向であって、図３に示す矢印Ｘ４に沿う方向に移動する。このラック３６ｄの移動に伴って、湾曲ワイヤ３ｅは、先端側に向けて押し出される。これによって、保持具湾曲部３ｂの湾曲状態は解除される。
【００５８】
この状態で、拡大レンズ保持具３を処置具挿入口２１側から若干量引き出して、拡大レンズ保持具３の先端部が内視鏡２の先端部１８の先端から突出しない位置に配置させる。なお、この時点以降に、引き続き別の部位の観察検査を行なわないような場合等には、ここで、拡大レンズ保持具３を全て引き抜いてしまっても構わない。
【００５９】
そうして、内視鏡２を被検者（患者）の体腔内から抜去する。
【００６０】
以上説明したように、上記一実施形態によれば、内視鏡２の処置具挿通チャンネル２２に挿通される処置具を用いて、同内視鏡２の先端部１８に設けられる対物光学系２４の前面側において、同対物光学系２４の光軸Ｏの延長線上に拡大観察用レンズ１７を適宜配置することができるようにしたので、この拡大観察用レンズ１７を使用せず対物光学系２４のみで行なう通常観察と、当該対物光学系２４に対して拡大観察用レンズ１７を加えた形態にて行なう拡大観察とを、適宜切り換えて行ない得るように構成したので、より簡単な構成でかつ確実に所望の観察対象部位の拡大観察を実行することができる。
【００６１】
なお、上述の一実施形態においては、拡大レンズ保持具３の把持部３ａの形態としては、鋏形状とした場合を例に挙げて説明しているが、これに限ることはなく、拡大観察用レンズ１７を確実に保持し得るような機構を備えておれば、他の形態にて構成してもよいのは勿論である。
【００６２】
また、本実施形態においては、拡大レンズ保持具３の鋏形状の把持部３ａを閉状態とすることで拡大観察用レンズ１７を把持部３ａにて挟持して保持する構成を採用しているが、、拡大レンズ保持具３の構成は、これに限ることはない。例えば、拡大レンズ保持具３ａの先端部近傍に拡大観察用レンズ１７を固設して構成することも考えられる。
【００６３】
上述の実施形態においては、対物光学系２４を変倍光学系としているが、これに限ることはなく、例えば単焦点の光学系を用いて構成してもよいのは勿論である。
【００６４】
また、上記一実施形態においては、撮像方式として面順次方式のものを例に挙げて説明しているが、これに限らず、例えば光源装置は回転フイルタを具備せず、白色光をそのままライトガイド１５の端面に集光させる同時式の光源装置としてもよいし、また、光源装置に変えて、先端に発光ダイオード（ＬＥＤ）を配設し、これを照明光源として使用する構成としてもよい。
【００６５】
一方、上述の一実施形態の構成に加えて、拡大レンズ保持具３により保持される拡大観察用レンズ１７の位置を保持し、または内視鏡２の対物光学系２４の変倍動作に連動させて拡大観察用レンズ１７を進退させる機構を備えて構成することも可能である。これについての構成例を、以下に説明する。
【００６６】
図６は、本発明の一実施形態の内視鏡装置の一変形例を示す図であって、操作部内部に設けられ拡大レンズ保持具を駆動する駆動手段の構成を示す概略構成図である。
【００６７】
本変形例の内視鏡装置の構成は、上述の一実施形態と基本的に同様の構成からなるものであって、操作部１１Ａの内部に拡大レンズ保持具３を駆動する駆動手段を加えて構成したものである。したがって、上述の一実施形態と同様の構成については、その説明を省略し、異なる部位についてのみ説明する。
【００６８】
本変形例の内視鏡装置における操作部１１Ａには、図６に示すように対物光学系２４の変倍操作を行なう変倍操作レバー４１が配設されている。この変倍操作レバー４１は、傾倒操作を行なうことによって、先端部１８に設けられた対物光学系２４のうちの変倍動作に関わる所定のレンズ群である変倍レンズ群２４ａを光軸Ｏに沿う方向に移動させることで変倍動作を行なわしめるための操作部材である。なお、この変倍操作レバー４１によって行なわれる変倍動作を制御する機構については、一般的な内視鏡に適用されるものが用いられるものとして、図示を省略している。
【００６９】
そして、本変形例においては、この変倍操作レバー４１の変倍操作に連動して処置具挿通チャンネル２２に挿入した拡大レンズ保持具３の進退動作が行なわれるようになっている。
【００７０】
この変倍操作レバー４１は、その一端部が操作部１１Ａの外面から突出するように配設される一方、基端部は、操作部１１Ａの内部の固定部材に固設される支軸４２によって軸支され、所定の範囲内で回動自在となっている棒状操作部材である。なお、この変倍操作レバー４１の一端側の最先端部には、使用者が指等で押圧するための操作部位４１ａが固設されている。
【００７１】
変倍操作レバー４１の基端部側には、同変倍操作レバー４１の回転方向及び回転駆動量等を検出する検出手段が設けられている。この検出手段は、変倍操作レバー４１の基端部において支軸４２を回転中心とする円周状に形成されるスリット４１ｂと、このスリット４１ｂに対向して設けられるエンコーダ等の光学センサー４３等によって構成される。この光学センサー４３は、信号線４５を介して制御部４４と電気的に接続されている。
【００７２】
制御部４４は、上記検出手段（４１ｂ，４３）による検出信号を受けて、変倍操作レバー４１の回転方向及び回転駆動量等に応じた拡大レンズ保持具３の駆動制御を行なうものである。
【００７３】
そのために、この制御部４４は、信号線４７を介して処置具駆動機構４６と電気的に接続されている。この処置具駆動機構４６は、処置具挿入口２１の近傍に設けられている。即ち、処置具駆動機構４６は、処置具挿入口２１から挿入された拡大レンズ保持具３等の処置具を挟持し得る部位に設けられる回転ローラ４６ａや、この回転ローラ４６ａを正逆回転させる駆動モータ（特に図示せず）等によって構成されている。この駆動モータは、上記制御部４４からの制御信号を受けて駆動するようになっている。
【００７４】
このような構成によって、処置具挿入口２１から挿入された拡大レンズ保持具３等の処置具の進退動作を、内視鏡２の対物光学系２４の変倍動作に連動させて行なうことができるようになっている。
【００７５】
なお、この連動制御は、特定の処置具、例えば拡大レンズ保持具３が処置具挿入口２１に挿入された時にのみ作動するようになっている。そのために、例えば処置具挿入口２１の近傍等に、挿入された処置具の種類を識別する処置具識別手段（特に図示せず）が設けられている。したがって、制御部４４は、この識別手段による識別結果に基いて変倍操作レバー４１と処置具駆動機構４６との連動制御を行なうか否かを判断するようになっている。
【００７６】
また、制御部４４によってなされる上記連動制御は、例えば変倍操作レバー４１の回転方向と回転駆動量の検出結果に基づいて対物光学系２４の変倍レンズ群２４ａの移動量を算出する。この算出結果による変倍レンズ群２４ａの移動量に対応する拡大観察用レンズ１７（の光軸Ｏ上における）移動量を算出する。これにより、制御部４４は、変倍レンズ群２４ａの移動量に応じて拡大観察用レンズ１７を移動させるべく、処置具駆動機構４６を制御して拡大レンズ保持具３の進退駆動を行なう。これにより、拡大観察用レンズ１７は、対物光学系２４の光軸Ｏに沿う方向に、そのとき設定された変倍率に応じた位置に配置設定されることになる。
【００７７】
以上説明した上記一変形例においても、上述の一実施形態と同様の作用により、同様の効果を得ることができる。
【００７８】
ここで、上記一実施形態の内視鏡装置１の内視鏡２において適用される観察用の光学要素、即ち対物光学系２４及び拡大観察用レンズ１７の具体的な実施例について、以下に説明する。
【００７９】
［第１実施例］
図７は、第１実施例の対物光学系及び拡大観察用レンズの構成図である。
【００８０】
図７において、（Ｗ）及び（Ｔ）は、対物光学系２４のレンズ構成を示し、（Ｗ）は変倍レンズ群２４ａを短焦点側に配置したときの状態を、（Ｔ）は変倍レンズ群２４ａを長焦点側に配置したときの状態を、それぞれ示している。また、対物光学系２４において、絞り位置を符合２４ｂで示している。
【００８１】
そして、図７において、（Ｓ）は、対物光学系２４の構成に加えて第１レンズ面の前方に拡大観察用レンズ１７を配置した状態のレンズ構成を示している。この場合において、拡大観察用レンズ１７の光軸と、対物光学系２４の光軸とは、図７（Ｓ）に示す光軸Ｏにおいて一致するように設定配置される。
【００８２】
この第１実施例の拡大観察用レンズ１７及び対物光学系２４によって構成される光学系の各レンズデータを次表に示す。
【表１】
2008023044.tif 000003
【００８３】
なお、表１において用いられる符号は、
ｒ：曲率半径（ｍｍ）
ｄ：面間隔（ｍｍ）
ｎ：屈折率
ν(ニュー)：アッベ数
である。
【００８４】
本実施例における対物光学系２４のみによって長焦点側で観察するときの物体距離、即ち対物光学系２４の第１レンズ面から観察部位１００までの距離は２．０ｍｍである。
【００８５】
また、拡大観察用レンズ１７は、観察部位１００に対して密着状態で配置される。即ち、物体距離は０ｍｍとなる。
【００８６】
本実施例の拡大観察用レンズ１７は、光学ガラスによって形成される平凸レンズである。その詳細な仕様は、
直径  １．４ｍｍ（φ１．４）
屈折率  ｎ１＝１．８８３００
焦点距離  ｆ１＝１．１１１
観察対象物に対向する側の面の曲率半径  ｒ１＝∞
内視鏡に対向する側の面の曲率半径  ｒ２＝−０．９８１
面間隔（ｍｍ）  ｄ＝０．４９０
である。
【００８７】
ここで、本実施例の拡大観察用レンズ１７は、以下の条件式を満足している。
【００８８】
１．４  ＜  ｎ１  ＜  ２．３
また、対物光学系２４の焦点距離  ｆ２＝２．０００  である。これにより、
ｆ１／ｆ２＝０．５５５４
であるので、本実施例の拡大観察用レンズ１７は、以下の条件式を満足している。
【００８９】
０．３  ＜  ｆ１／ｆ２  ＜３．５
なお、この拡大観察用レンズ１７を挿入したときの中心倍率変化は、対物光学系２４のみでの倍率を１とすると、１．３１となる。
【００９０】
［第２実施例］
図８は、第２実施例の対物光学系及び拡大観察用レンズの構成図である。
【００９１】
図８において、（Ｗ）及び（Ｔ）は、対物光学系２４のレンズ構成を示し、（Ｗ）は変倍レンズ群２４ａを短焦点側に配置したときの状態を、（Ｔ）は変倍レンズ群２４ａを長焦点側に配置したときの状態を、それぞれ示している。また、対物光学系２４において、絞り位置を符合２４ｂで示している。
【００９２】
そして、図８において、（Ｓ）は、対物光学系２４の構成に加えて第１レンズ面の前方に拡大観察用レンズ１７Ａを配置した状態のレンズ構成を示している。この場合において、拡大観察用レンズ１７Ａの光軸と、対物光学系２４の光軸とは、図７（Ｓ）に示す光軸Ｏにおいて一致するように設定配置される。
【００９３】
この第２実施例の拡大観察用レンズ１７Ａ及び対物光学系２４によって構成される光学系の各レンズデータを次表に示す。
【表２】
2008023044.tif 000004
【００９４】
なお、表２において用いられる符号は、
ｒ：曲率半径（ｍｍ）
ｄ：面間隔（ｍｍ）
ｎ：屈折率
ν(ニュー)：アッベ数
である。
【００９５】
本実施例における対物光学系２４のみによって長焦点側で観察するときの物体距離、即ち対物光学系２４の第１レンズ面から観察部位１００までの距離は２．０ｍｍである。
【００９６】
また、拡大観察用レンズ１７Ａは、観察部位１００に対して密着状態で配置される。即ち、物体距離は０ｍｍとなる。
【００９７】
本実施例の拡大観察用レンズ１７Ａは、樹脂モールド品によって形成される平凸レンズである。その詳細な仕様は、
直径  ２．６ｍｍ（φ２．６）
屈折率  ｎ１＝１．５２５４０
焦点距離  ｆ１＝２．８００
観察対象物に対向する側の面の曲率半径  ｒ１＝∞
内視鏡に対向する側の面の曲率半径  ｒ２＝−１．４７１
面間隔（ｍｍ）  ｄ＝１．４７１
である。
【００９８】
ここで、本実施例の拡大観察用レンズ１７は、以下の条件式を満足している。
【００９９】
１．４  ＜  ｎ１  ＜  ２．３
また、対物光学系２４の焦点距離  ｆ２＝２．０００  である。これにより、
ｆ１／ｆ２＝１．４
であるので、本実施例の拡大観察用レンズ１７は、以下の条件式を満足している。
【０１００】
０．３  ＜  ｆ１／ｆ２  ＜３．５
また、上記の条件より、
ｒ２／ｄ＝１
であることから、本実施例の拡大観察用レンズ１７は、以下の条件式を満足している。
【０１０１】
０．９  ＜  ｜ｒ２／ｄ｜  ＜  １．１
なお、この拡大観察用レンズ１７Ａを挿入したときの中心倍率変化は、対物光学系２４のみでの倍率を１とすると、１．５３となる。
【０１０２】
本実施例によれば、拡大観察用レンズ１７Ａのサイズを大きく形成しているので、周辺部でのケラレが少ないという利点がある。一方、拡大観察用レンズ１７Ａのサイズが大きいことから処置具挿通チャンネルを挿通させるのに支障が生じることも考えられることから、外周側の対向する二辺をカットして横長画面に合わせて、レンズ断面が小判形状となるように形成するという工夫が施されている。なお、図９は、当該拡大観察用レンズ１７Ａを正面から見た際の図である。
【０１０３】
また、拡大観察用レンズ１７Ａの有無に関らず対物光学系２４の第１レンズ面と観察部位との間の距離を変化させなくても像を結ぶので、対物光学系２４の位置を固定した状態で拡大観察用レンズ１７Ａを挿入すれば拡大観察を行なうことができる。
【０１０４】
［第３実施例］
図１０は、第３実施例の対物光学系及び拡大観察用レンズの構成図である。
【０１０５】
図１０において、（Ｗ）及び（Ｔ）は、対物光学系２４のレンズ構成を示し、（Ｗ）は変倍レンズ群２４ａを短焦点側に配置したときの状態を、（Ｔ）は変倍レンズ群２４ａを長焦点側に配置したときの状態を、それぞれ示している。また、対物光学系２４において、絞り位置を符合２４ｂで示している。
【０１０６】
そして、図１０において、（Ｓ）は、対物光学系２４の構成に加えて第１レンズ面の前方に拡大観察用レンズ１７Ｂを配置した状態のレンズ構成を示している。この場合において、拡大観察用レンズ１７Ｂの光軸と、対物光学系２４の光軸とは、図７（Ｓ）に示す光軸Ｏにおいて一致するように設定配置される。
【０１０７】
この第３実施例の拡大観察用レンズ１７Ｂ及び対物光学系２４によって構成される光学系の各レンズデータを次表に示す。
【表３】
2008023044.tif 000005
【０１０８】
なお、表３において用いられる符号は、
ｒ：曲率半径（ｍｍ）
ｄ：面間隔（ｍｍ）
ｎ：屈折率
ν(ニュー)：アッベ数
である。
【０１０９】
本実施例における対物光学系２４のみによって長焦点側で観察するときの物体距離、即ち対物光学系２４の第１レンズ面から観察部位１００までの距離は２．０ｍｍである。
【０１１０】
また、拡大観察用レンズ１７Ｂは、観察部位１００に対して所定の距離Ｄだけ離間した状態で配置される。
【０１１１】
本実施例の拡大観察用レンズ１７Ｂは、樹脂モールド品によって形成される平凸レンズである。その詳細な仕様は、
直径  ２ｍｍ（φ２）
屈折率  ｎ１＝１．５２５４０
焦点距離  ｆ１＝２．８００
観察対象物に対向する側の面の曲率半径  ｒ１＝∞
内視鏡に対向する側の面の曲率半径  ｒ２＝−１．４７１
面間隔（ｍｍ）  ｄ＝０．５１５
である。
【０１１２】
ここで、本実施例の拡大観察用レンズ１７は、以下の条件式を満足している。
【０１１３】
１．４  ＜  ｎ１  ＜  ２．３
また、対物光学系２４の焦点距離  ｆ２＝２．０００  である。これにより、
ｆ１／ｆ２＝１．４
であるので、本実施例の拡大観察用レンズ１７は、以下の条件式を満足している。
【０１１４】
０．３  ＜  ｆ１／ｆ２  ＜３．５
なお、この拡大観察用レンズ１７Ｂを挿入したときの中心倍率変化は、対物光学系２４のみでの倍率を１とすると、１．５３となる。
【０１１５】
本実施例によれば、拡大観察用レンズ１７Ｂと観察部位１００との間に所定の距離Ｄをおいているので、例えば拡大観察用レンズ１７Ｂに粘液などが付着することにより、観察が妨げられるようなことがない。
【０１１６】
［第４実施例］
図１１は、第４実施例の対物光学系及び拡大観察用レンズの構成図である。
【０１１７】
図１１において、（Ｗ）及び（Ｔ）は、対物光学系２４のレンズ構成を示し、（Ｗ）は変倍レンズ群２４ａを短焦点側に配置したときの状態を、（Ｔ）は変倍レンズ群２４ａを長焦点側に配置したときの状態を、それぞれ示している。また、対物光学系２４において、絞り位置を符合２４ｂで示している。
【０１１８】
そして、図１１において、（Ｓ）は、対物光学系２４の構成に加えて第１レンズ面の前方に拡大観察用レンズ１７Ｃを配置した状態のレンズ構成を示している。この場合において、拡大観察用レンズ１７Ｃの光軸と、対物光学系２４の光軸とは、図７（Ｓ）に示す光軸Ｏにおいて一致するように設定配置される。
【０１１９】
この第４実施例の拡大観察用レンズ１７Ｃ及び対物光学系２４によって構成される光学系の各レンズデータを次表に示す。
【表４】
2008023044.tif 000006
【０１２０】
なお、表４において用いられる符号は、
ｒ：曲率半径（ｍｍ）
ｄ：面間隔（ｍｍ）
ｎ：屈折率
ν(ニュー)：アッベ数
である。
【０１２１】
本実施例における対物光学系２４のみによって長焦点側で観察するときの物体距離、即ち対物光学系２４の第１レンズ面から観察部位１００までの距離は２．０ｍｍである。
【０１２２】
本実施例の拡大観察用レンズ１７Ｃは、セラミックレンズからなりる平凸レンズである。その詳細な仕様は、
直径  １．８ｍｍ（φ１．８）
屈折率  ｎ１＝２．０８０００
焦点距離  ｆ１＝０．９０８
観察対象物に対向する側の面の曲率半径  ｒ１＝∞
内視鏡に対向する側の面の曲率半径  ｒ２＝−０．９８１
面間隔（ｍｍ）  ｄ＝０．９８１
である。
【０１２３】
ここで、本実施例の拡大観察用レンズ１７は、以下の条件式を満足している。
【０１２４】
１．４  ＜  ｎ１  ＜  ２．３
また、対物光学系２４の焦点距離  ｆ２＝２．０００  である。これにより、
ｆ１／ｆ２＝０．４５４０５
であるので、本実施例の拡大観察用レンズ１７は、以下の条件式を満足している。
【０１２５】
０．３  ＜  ｆ１／ｆ２  ＜３．５
また、上記の条件より、
ｒ２／ｄ＝１
であることから、本実施例の拡大観察用レンズ１７は、以下の条件式を満足している。
【０１２６】
０．９  ＜  ｜ｒ２／ｄ｜  ＜  １．１
なお、この拡大観察用レンズ１７Ｃを挿入したときの中心倍率変化は、対物光学系２４のみでの倍率を１とすると、２．０８となる。
【０１２７】
［第５実施例］
図１２は、第５実施例の対物光学系及び拡大観察用レンズの構成図である。
【０１２８】
図１２において、（Ｗ）及び（Ｔ）は、対物光学系２４のレンズ構成を示し、（Ｗ）は変倍レンズ群２４ａを短焦点側に配置したときの状態を、（Ｔ）は変倍レンズ群２４ａを長焦点側に配置したときの状態を、それぞれ示している。また、対物光学系２４において、絞り位置を符合２４ｂで示している。
【０１２９】
そして、図７において、（Ｓ）は、対物光学系２４の構成に加えて第１レンズ面の前方に拡大観察用レンズ１７Ｄを配置した状態のレンズ構成を示している。この場合において、拡大観察用レンズ１７Ｄの光軸と、対物光学系２４の光軸とは、図７（Ｓ）に示す光軸Ｏにおいて一致するように設定配置される。
【０１３０】
この第５実施例の拡大観察用レンズ１７Ｄ及び対物光学系２４によって構成される光学系の各レンズデータを次表に示す。
【表５】
2008023044.tif 000007
【０１３１】
なお、表５において用いられる符号は、
ｒ：曲率半径（ｍｍ）
ｄ：面間隔（ｍｍ）
ｎ：屈折率
ν(ニュー)：アッベ数
である。
【０１３２】
本実施例における対物光学系２４のみによって長焦点側で観察するときの物体距離、即ち対物光学系２４の第１レンズ面から観察部位１００までの距離は２．０ｍｍである。
【０１３３】
また、拡大観察用レンズ１７Ｄは、対物光学系２４の第１レンズ面の前面に対して密着状態で配置される。
【０１３４】
本実施例の拡大観察用レンズ１７Ｄは、樹脂モールド品によって形成される球レンズである。その詳細な仕様は、
直径  １．０９９ｍｍ（φ１．０９９）
屈折率  ｎ１＝１．４４０００
焦点距離  ｆ１＝０．８９９
観察対象物に対向する側の面の曲率半径  ｒ１＝０．５４９
内視鏡に対向する側の面の曲率半径  ｒ２＝−０．５４９
面間隔（ｍｍ）  ｄ＝１．０９９
である。
【０１３５】
ここで、本実施例の拡大観察用レンズ１７は、以下の条件式を満足している。
【０１３６】
１．４  ＜  ｎ１  ＜  ２．３
また、対物光学系２４の焦点距離  ｆ２＝２．０００  である。これにより、
ｆ１／ｆ２＝０．４４９４
であるので、本実施例の拡大観察用レンズ１７は、以下の条件式を満足している。
【０１３７】
０．３  ＜  ｆ１／ｆ２  ＜３．５
また、上記の条件より、
ｒ１／ｒ２＝１
であることから、本実施例の拡大観察用レンズ１７は、以下の条件式を満足している。
【０１３８】
｜ｒ１／ｒ２｜  ＝  １
なお、この拡大観察用レンズ１７Ｄを挿入したときの中心倍率変化は、対物光学系２４のみでの倍率を１とすると、２．５７となる。
【０１３９】
本実施例によれば、拡大観察用レンズ１７Ｄのパワーが強いので、観察部位１００に対してより近接させて拡大率を上げることができるという利点がある。また、拡大観察用レンズ１７Ｄのサイズを小さくすることができるので、処置具挿通チャンネルを介して内視鏡２の先端に配置するのが容易であるという利点もある。さらに、拡大観察用レンズ１７Ｄを球形状で形成したので、レンズ枠１７ｂに対する方向性が無い。したがって、拡大観察用レンズ１７Ｄの組み立てを容易とすることができる。
【０１４０】
さらに、拡大観察用レンズ１７Ｄは、対物光学系２４の第１レンズ面の前面に密着させて配置することから、拡大観察用レンズ１７Ｄの位置決めが容易にできる。また、このとき、拡大観察用レンズ１７Ｄを樹脂モールド品で形成してあるので、対物光学系２４の第１レンズ面の前面に密着させても、対物光学系２４の側の光学部材を傷付けてしまうようなこともない。
【０１４１】
［第６実施例］
図１３は、第６実施例の対物光学系及び拡大観察用レンズの構成図である。
【０１４２】
図１３において、（Ｗ）及び（Ｔ）は、対物光学系２４のレンズ構成を示し、（Ｗ）は変倍レンズ群２４ａを短焦点側に配置したときの状態を、（Ｔ）は変倍レンズ群２４ａを長焦点側に配置したときの状態を、それぞれ示している。また、対物光学系２４において、絞り位置を符合２４ｂで示している。
【０１４３】
そして、図１３において、（Ｓ）は、対物光学系２４の構成に加えて第１レンズ面の前方に拡大観察用レンズ１７Ｅを配置した状態のレンズ構成を示している。この場合において、拡大観察用レンズ１７Ｅの光軸と、対物光学系２４の光軸とは、図７（Ｓ）に示す光軸Ｏにおいて一致するように設定配置される。
【０１４４】
この第６実施例の拡大観察用レンズ１７Ｅ及び対物光学系２４によって構成される光学系の各レンズデータを次表に示す。
【表６】
2008023044.tif 000008
【０１４５】
なお、表６において用いられる符号は、
ｒ：曲率半径（ｍｍ）
ｄ：面間隔（ｍｍ）
ｎ：屈折率
ν(ニュー)：アッベ数
である。
【０１４６】
本実施例における対物光学系２４のみによって長焦点側で観察するときの物体距離、即ち対物光学系２４の第１レンズ面から観察部位１００までの距離は２．０ｍｍである。
【０１４７】
また、拡大観察用レンズ１７Ｅは、観察部位１００に対して密着状態で配置される。即ち、物体距離は０ｍｍとなる。
【０１４８】
本実施例の拡大観察用レンズ１７Ｅは、光学ガラスによって形成される両凸レンズである。その詳細な仕様は、
直径  １．１２ｍｍ（φ１．１２）
屈折率  ｎ１＝１．５１６３３
焦点距離  ｆ１＝１．０７８
観察対象物に対向する側の面の曲率半径  ｒ１＝０．９８１
内視鏡に対向する側の面の曲率半径  ｒ２＝−０．９８１
面間隔（ｍｍ）  ｄ＝０．６８７
である。
【０１４９】
ここで、本実施例の拡大観察用レンズ１７は、以下の条件式を満足している。
【０１５０】
１．４  ＜  ｎ１  ＜  ２．３
また、対物光学系２４の焦点距離  ｆ２＝２．０００  である。これにより、
ｆ１／ｆ２＝０．５３９２
であるので、本実施例の拡大観察用レンズ１７は、以下の条件式を満足している。
【０１５１】
０．３  ＜  ｆ１／ｆ２  ＜３．５
また、上記の条件より、
ｒ１／ｒ２＝１
であることから、本実施例の拡大観察用レンズ１７は、以下の条件式を満足している。
【０１５２】
｜ｒ１／ｒ２｜  ＝  １
なお、この拡大観察用レンズ１７Ｅを挿入したときの中心倍率変化は、対物光学系２４のみでの倍率を１とすると、１．３１となる。
【０１５３】
本実施例によれば、拡大観察用レンズ１７Ｅは、両凸レンズで形成したので、レンズ枠１７ｂに対して裏表方向での方向性が無い。したがって、拡大観察用レンズ１７Ｅの組み立てを容易とすることができる。また、拡大レンズ保持具３によって保持する際にも、その裏表方向の取り付けに方向性がないので、拡大レンズ保持具３で保持する際の作業性の向上に寄与することができる。
【０１５４】
なお、本発明は上述した実施形態に限定されるものではなく、発明の主旨を逸脱しない範囲内において種々の変形や応用が可能であることは勿論である。
【図面の簡単な説明】
【０１５５】
【図１】本発明の一実施形態の内視鏡装置の概略的な構成を示す全体構成図。
【図２】図１の内視鏡装置における内視鏡の先端部近傍を拡大して示す要部拡大斜視図。
【図３】図１の内視鏡装置の内視鏡の処置具挿通チャンネルに挿通させて使用する処置具（拡大レンズ保持具）を示す拡大平面図。
【図４】図４は、図３の拡大レンズ保持具を駆動した状態を示す拡大平面図。
【図５】図１の内視鏡装置における内視鏡の処置具挿通チャンネルに拡大レンズ保持具を挿通させて拡大レンズを観察光学系の光軸上に配置したときの状態を示し、内視鏡先端部を断面で示す要部拡大断面図。
【図６】本発明の一実施形態の内視鏡装置の一変形例を示し、操作部内部に設けられ拡大レンズ保持具を駆動する駆動手段の構成を示す概略構成図。
【図７】第１実施例の対物光学系及び拡大観察用レンズの構成図。
【図８】第２実施例の対物光学系及び拡大観察用レンズの構成図。
【図９】第２実施例の拡大観察用レンズの正面図。
【図１０】第３実施例の対物光学系及び拡大観察用レンズの構成図。
【図１１】第４実施例の対物光学系及び拡大観察用レンズの構成図。
【図１２】第５実施例の対物光学系及び拡大観察用レンズの構成図。
【図１３】第６実施例の対物光学系及び拡大観察用レンズの構成図。
【符号の説明】
【０１５６】
１……内視鏡装置
２……内視鏡
３……拡大レンズ保持具
４……光源装置
５……ビデオプロセッサ
６……表示装置
７……記録装置
１０……挿入部
１１，１１Ａ……操作部
１２……ユニバーサルコード
１７，１７Ａ，１７Ｂ，１７Ｃ，１７Ｄ，１７Ｅ……拡大観察用レンズ
１７ａ……光学レンズ
１７ｂ……レンズ枠
１８……先端部
１９……湾曲部
２０……可撓部
２１……処置具挿入口
２２……処置具挿通チャンネル
２３……チャンネル開口
２４……対物光学系
２４ａ……変倍レンズ群
２５……撮像素子
３６……保持具駆動機構部
３７……保持具コントローラ
４１……変倍操作レバー
４４……制御部
４６……処置具駆動機構
【図１】
2008023044.tif 000009
【図２】
2008023044.tif 000010
【図３】
2008023044.tif 000011
【図４】
2008023044.tif 000012
【図５】
2008023044.tif 000013
【図６】
2008023044.tif 000014
【図７】
2008023044.tif 000015
【図８】
2008023044.tif 000016
【図９】
2008023044.tif 000017
【図１０】
2008023044.tif 000018
【図１１】
2008023044.tif 000019
【図１２】
2008023044.tif 000020
【図１３】
2008023044.tif 000021